【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
インクカートリッジをスライドさせて記録装置本体に装填するインクカートリッジの着脱装置であって、
インクカートリッジを所定ストローク挿入することによってインクカートリッジを保持するカートリッジ保持手段と、レバーアームの回動運動により、インクカートリッジの装填に必要な押込み力を確保し、レバーアームの回動運動をインクカートリッジの装填に必要な所定ストロークの動きに変換する回動スライド機構とを備えていることを特徴とするインクカートリッジの着脱装置。
【請求項２】
請求項１において、前記カートリッジ保持手段には、レバーアームの回動操作によってインクカートリッジを記録装置本体から取り出すことのできるロック解除機構が設けられていることを特徴とするインクカートリッジの着脱装置。
【請求項３】
請求項２において、前記ロック解除機構は、レバーアームの回動操作に伴ってインクカートリッジと共に移動するロック解除ピンと、ロック解除ピンの移動軌跡をインクカートリッジの挿入方向と取出し方向とで異ならせることによってインクカートリッジのロック状態を解除する弾性ロック解除片とを備えることを特徴とするインクカートリッジの着脱装置。
【請求項４】
請求項１〜３のいずれか１項において、前記カートリッジ保持手段は、インクカートリッジの両側面から突出する押込みリブに当接することによって、取出しバネの付勢力に抗して摺動するロックスライダと、ロックスライダを摺動自在に保持した状態で、可動フレームと一体に移動するスライダホルダと、ロックスライダに対して回動自在に接続され、スライダホルダに対して形成されている係合リブと係合することでロックスライダとスライダホルダとを一体化させる係合爪と、係合爪を係合リブ側に付勢するロックバネと、ロックスライダに対してインクカートリッジの装填方向と直交する方向にスライドすると共に、スライダホルダに対して形成されている案内溝と係合する案内突起を有するスライドロック片とを備えていることを特徴とするインクカートリッジの着脱装置。
【請求項５】
請求項１〜４のいずれか１項において、前記レバーアームは、固定フレームから立ち上げられている回動ピンに対して回動自在に接続される基端部と、基端部から記録装置本体の背面に向けて延長形成されているアーム本体と、アーム本体の先端部に対して取り付けられるつまみ部とを備えており、前記基端部にはレバーアームを左右いずれかの回動端に位置するように付勢する二安定バネが固定フレームとの間で張設されていることを特徴とするインクカートリッジの着脱装置。
【請求項６】
請求項５において、前記レバーアームの基端部には、レバーアームと一体に回動する伝達部材が押圧増力バネを介して接続されており、レバーアームを所定の方向に回動させて、インクカートリッジを装填する際、上記押圧増力バネの付勢力が作用してインクカートリッジを流路部材に密着状態に押圧保持するようにしたことを特徴とするインクカートリッジの着脱装置。
【請求項７】
請求項１〜６のいずれか１項において、前記回動スライド機構は、ラック、ピニオン機構によって構成されていることを特徴とするインクカートリッジの着脱装置。
【請求項８】
請求項７において、前記回動スライド機構は、レバーアームの基端部に対して取り付けられ、レバーアームと一体に回動する第１ピニオンと、第１ピニオンと噛み合う第１ラック及び第１ラックの動きを伝達経路下流に伝達する第２ラックとを備えるスライドバーと、第２ラックと噛み合う第２ピニオン及び第２ピニオンの回転を伝達経路下流に伝達する第３ピニオンとを一体に備える組合せピニオンと、固定フレームに対して摺動自在に設けられる可動フレームに対して設けられ、前記第３ピニオンと噛み合う第３ラックとを備えていることを特徴とするインクカートリッジの着脱装置。
【請求項９】
請求項８において、前記第２ラック、第２ピニオン、第３ピニオン及び第３ラックによって構成される伝達経路は、レバーアームを挟んで、その左右に一組ずつ配設されていることを特徴とするインクカートリッジの着脱装置。
【請求項１０】
請求項１〜９のいずれか１項において、前記インクカートリッジの着脱装置には、レバーアームがインクカートリッジの装填完了時にとるセット位置にある時に、あるいはレバーアームがインクカートリッジの装填可能なリセット位置以外にある時に、または片側のカートリッジ保持手段のみが作動した状態でインクカートリッジを挿入しようとした時にインクカートリッジの挿入を防止するインクカートリッジ誤挿入防止手段が設けられていることを特徴とするインクカートリッジの着脱装置。
【請求項１１】
請求項１０において、前記インクカートリッジ誤挿入防止手段は記録装置の固定フレームに対して設けられ、ロックスライダ側に突出する誤挿入防止突起と、ロックスライダに対してインクカートリッジの挿入方向と直交する方向にスライドするスライドロック片と、記録装置の可動フレームと一体に移動するスライダホルダに対して形成され、スライドロック片に対して設けられている案内突起と係合する案内溝とを備えることによって構成されており、前記案内溝はレバーアームがセット位置にある時にインクカートリッジを挿入しようとした場合、スライドロック片が誤挿入防止突起に当接し、インクカートリッジの挿入を防止する移動軌跡をとるように形成されていることを特徴とするインクカートリッジの着脱装置。
【請求項１２】
請求項１０または１１において、前記インクカートリッジ誤挿入防止手段は記録装置の固定フレームに対して設けられ、ロックスライダ側に突出する誤挿入防止突起と、ロックスライダに対してインクカートリッジの挿入方向と直交する方向にスライドするスライドロック片と、記録装置の可動フレームと一体に移動するスライダホルダに対して形成され、スライドロック片に対して設けられている案内突起と係合する案内溝とを備えることによって構成されており、前記案内溝は片側のカートリッジ保持手段のみが作動した状態でレバーアームをリセット位置からセット位置側へ回動させた場合、保持されていない他方のカートリッジ保持手段側に位置するスライドロック片が誤挿入防止突起に当接し、インクカートリッジの挿入を防止する移動軌跡をとるように形成されていることを特徴とするインクカートリッジの着脱装置。
【請求項１３】
請求項１０〜１２のいずれか１項において、前記インクカートリッジ誤挿入防止手段には、レバーアームがリセット位置以外にある時にインクカートリッジが挿入された場合に、係合爪に対して設けられているロック解除ピンと衝突することによって生ずる弾性ロック解除片の変形を防止する衝突回避手段が設けられていることを特徴とするインクカートリッジの着脱装置。
【請求項１４】
請求項１３において、前記衝突回避手段は、係合爪と一体に回動する衝突回避凸部と、衝突回避凸部に摺接し、係合爪と係合する係合リブと一体に形成されている摺接面とを備えることによって構成されており、レバーアームがリセット位置以外にある時にインクカートリッジが挿入された場合には、ロック解除ピンが弾性ロック解除片に衝突する係合爪の通常回動軌跡を補正して、ロック解除ピンが弾性ロック解除片と衝突しない回避回動軌跡をとるように係合爪の回動軌跡が設定されていることを特徴とするインクカートリッジの着脱装置。
【請求項１５】
請求項１０〜１４のいずれか１項において、前記インクカートリッジ誤挿入防止手段は、レバーアームがリセット位置にある時に退避姿勢、レバーアームがリセット位置以外にある時に突出姿勢をとる誤挿入防止フラップと、レバーアームの動きを誤挿入防止フラップの動きに変換する回動方向変換機構とを備えることによって構成されていることを特徴とするインクカートリッジの着脱装置。
【請求項１６】
請求項１５において、前記誤挿入防止フラップは、直接インクカートリッジの挿入側端面に当接してインクカートリッジの誤挿入を防止するフラップ本体と、軸心方向が固定フレームの幅方向に設定され、固定フレームに対して回動自在に接続される回動軸と、回動軸を挟んでフラップ本体と反対側の端部に設けられる変換カムフォロワ部とを備えており、固定フレームとの間に配設される付勢手段からの付勢力を得て、誤挿入防止フラップは常時突出姿勢をとるように設定されていることを特徴とするインクカートリッジの着脱装置。
【請求項１７】
請求項１５または１６において、前記回動方向変換機構は、固定フレーム上面に立ち上げられている回動ピンを回動中心として前記レバーアームの動作方向に所定の角度回動するトリガーと、誤挿入防止フラップに対して設けられている変換カムフォロワ部と、トリガーが常時レバーアーム側に回動するように付勢する付勢手段とを備えることによって構成されていることを特徴とするインクカートリッジの着脱装置。
【請求項１８】
請求項１７において、前記トリガーは、回動ピンに対して回動自在に接続され、半径方向に延びるアーム部と、アーム部の先端からレバーアーム側及び誤挿入防止フラップ側に、円周方向に延長形成される変換作用部とを備えており、変換作用部には入力側にレバーアームと直接当接する入力側当接部、出力側に誤挿入防止フラップにおける変換カムフォロワ部と摺接する変換カム面が形成されていることを特徴とするインクカートリッジの着脱装置。
【請求項１９】
請求項１〜１８のいずれか１項において、前記インクカートリッジの着脱装置には、レバーアームがインクカートリッジの装填完了時にとるセット位置に位置し続けることによって生じる、記録装置本体各部に掛かるクリープ荷重を軽減させるクリープ荷重軽減手段が設けられていることを特徴とするインクカートリッジの着脱装置。
【請求項２０】
請求項１９において、前記クリープ荷重軽減手段は、セット位置にあるレバーアームをリセット位置側に回動させるように付勢する付勢手段と、レバーアームをセット位置からリセット位置側に所定ピッチ戻したセット待機位置で停止させるレバーアーム停止機構とを備えることによって構成されていることを特徴とするインクカートリッジの着脱装置。
【請求項２１】
請求項１〜２０のいずれか１項において、前記インクカートリッジの着脱装置は、
インクカートリッジを所定距離以上挿入しようとしたとき、
インクカートリッジ装填前の所定位置に前記インクカートリッジを停止させ、
ユーザに該インクカートリッジの挿入状態が正常か不正常かを判定可能にするインクカートリッジ挿入状態判定手段を備えていることを特徴とするインクカートリッジの着脱装置。
【請求項２２】
請求項２１において、前記インクカートリッジ挿入状態判定手段は、
挿入されたインクカートリッジが前記所定位置に停止するように、前記レバーアームのリセット位置からセット位置側への回動を規制するレバーアーム回動規制機構を備えていることを特徴とするインクカートリッジの着脱装置。
【請求項２３】
請求項２２において、前記レバーアーム回動規制機構は、
前記レバーアームの回動を案内するガイド上のリセット位置に、前記レバーアームのセット位置側への回動を規制する規制部を備えていることを特徴とするインクカートリッジの着脱装置。
【請求項２４】
請求項１〜２３のいずれか１項において、前記インクカートリッジの着脱装置には、
インクカートリッジの不正常な挿入状態により前記インクカートリッジが誤装填されたとき、ユーザにインクカートリッジの誤装填を知らせるインクカートリッジ誤装填警告手段を備えていることを特徴とするインクカートリッジの着脱装置。
【請求項２５】
請求項２４において、前記インクカートリッジ誤装填警告手段は、
インクカートリッジの挿入開口部を閉塞し得る回動自在な蓋部材と、
前記蓋部材の内側に形成されたリブとを備え、
前記リブは、
インクカートリッジが誤装填されたとき、前記リブが前記インクカートリッジと当接し前記蓋部材の回動を規制することによって、前記蓋部材を閉塞させないように構成されていることを特徴とするインクカートリッジの着脱装置。
【請求項２６】
請求項２５において、前記インクカートリッジ誤装填警告手段は、
前記蓋部材の開閉を検知する蓋部材開閉検出器を備えていることを特徴とするインクカートリッジの着脱装置。
【請求項２７】
請求項２６において、前記インクカートリッジ誤装填警告手段は、
前記蓋部材開閉検出器が前記蓋部材の閉塞を検知しない限り、記録装置本体を作動させないインクカートリッジ誤装填時制御部を備えていることを特徴とするインクカートリッジの着脱装置。
【請求項２８】
インクカートリッジをスライドさせて記録装置本体に装填するインクカートリッジの着脱装置を備える記録装置であって、前記インクカートリッジの着脱装置は請求項１〜２７のいずれか１項に記載のインクカートリッジの着脱装置であることを特徴とする記録装置。
【請求項２９】
液体カートリッジをスライドさせて液体噴射装置本体に装填する液体カートリッジの着脱装置を備える液体噴射装置であって、
液体カートリッジを所定ストローク挿入することによって液体カートリッジを保持するカートリッジ保持手段と、レバーアームの回動運動により、液体カートリッジの装填に必要な押込み力を確保し、レバーアームの回動運動を液体カートリッジの装填に必要な所定ストロークの動きに変換する回動スライド機構とを備えていることを特徴とする液体噴射装置。
【手続補正２】
【補正対象書類名】明細書
【補正対象項目名】０００９
【補正方法】変更
【補正の内容】
【０００９】
上記課題を解決するために本発明の第１の態様に係るインクカートリッジの着脱装置は、インクカートリッジをスライドさせて記録装置本体に装填するインクカートリッジの着脱装置であって、インクカートリッジを所定ストローク挿入することによってインクカートリッジを保持するカートリッジ保持手段と、レバーアームの回動運動により、インクカートリッジの装填に必要な押込み力を確保し、レバーアームの回動運動をインクカートリッジの装填に必要な所定ストロークの動きに変換する回動スライド機構とを備えていることを特徴とするものである。
【手続補正３】
【補正対象書類名】明細書
【補正対象項目名】００１１
【補正方法】変更
【補正の内容】
【００１１】
本発明の第２の態様に係るインクカートリッジの着脱装置は、第１の態様において、前記カートリッジ保持手段には、レバーアームの回動操作によってインクカートリッジを記録装置本体から取り出すことのできるロック解除機構が設けられていることを特徴とするものである。  
本発明の第２の態様によれば、インクカートリッジを記録装置本体から取り出す際には、レバーアームの回動操作のみのワンタッチの操作で行うことができるから、インクカートリッジの取出し作業が円滑且つ容易になる。
【手続補正４】
【補正対象書類名】明細書
【補正対象項目名】００５２
【補正方法】変更
【補正の内容】
【００５２】
本発明の第２９の態様に係る液体噴射装置は、液体カートリッジをスライドさせて液体噴射装置本体に装填する液体カートリッジの着脱装置を備える液体噴射装置であって、液体カートリッジを所定ストローク挿入することによって液体カートリッジを保持するカートリッジ保持手段と、レバーアームの回動運動により、液体カートリッジの装填に必要な押込み力を確保し、レバーアームの回動運動を液体カートリッジの装填に必要な所定ストロークの動きに変換する回動スライド機構とを備えていることを特徴とするものである。